(57)【要約】      （修正有）【課題】部品点数と組み付け工数の低減を図ることで、コスト安になる標識杭を提供する。【解決手段】標識杭は、地面に打ち込まれるホルダー部と、このホルダー部に直立するように連結される杭本体５とを備えている。杭本体５の上部には、上下方向の中心穴５ｂが形成され、この中心穴５ｂに圧入部６ａが圧入されるキャップ６と、このキャップ６で下部７ａが保持されるフィラメント束７とが設けられている。キャップ６には、フィラメント束７の下部７ａを圧入させる中心貫通穴が形成され、キャップ６の圧入部６ａの外周には、外方に突出する突出部６ｅと、軸方向に延在するスリット部６ｆとが形成されている。【選択図】図３
0003165918.tif 000002
【実用新案登録請求の範囲】
【請求項１】
地面に打ち込まれるホルダー部と、このホルダー部に直立するように連結される杭本体とでなる標識杭において、
前記杭本体の少なくとも上部には、上下方向の中心穴が形成され、この中心穴に圧入部が圧入されるキャップと、このキャップで下部が保持されるフィラメント束とが設けられ、
前記キャップには、前記フィラメント束の下部を圧入させる中心貫通穴が形成され、
前記キャップの圧入部の外周には、外方に突出する突出部と、軸方向に延在するスリット部とが形成されていることを特徴とする標識杭。
【請求項２】
前記ホルダー部と前記杭本体とは、可撓性部材で連結されていることを特徴とする請求項１に記載の標識杭。
【請求項３】
前記キャップのフィラメント束の入口穴は、前記中心貫通穴よりも大径に形成され、入口穴と中心貫通穴との境部分は、入口穴から中心貫通穴に向かうテーパ部に形成されていることを特徴とする請求項１または２に記載の標識杭。
【請求項４】
前記スリット部は、圧入部の先端側に向かって広がる略Ｖ字状に形成されていることを特徴とする請求項１〜３のいずれか一項に記載の標識杭。
【考案の詳細な説明】
【技術分野】
【０００１】
本考案は、標識杭に関する。
【背景技術】
【０００２】
従来、図４（ａ）に示すように、標識杭２０としては、地面２１に打ち込まれるホルダー部２２に杭本体２４が直立するように差し込み連結されるものがある（特許文献１参照）。
【０００３】
このような標識杭２０は、例えばゴルフ場におけるＯＢ領域等の境界線に、所定の間隔で、例えば数百本の単位で立てられるものである。そして、地面２１に植生した芝生を芝刈り機で芝刈りするに際しては、ホルダー部２２を地面２１に残したままで、杭本体２４を抜き取ることで、芝刈りの邪魔にならないようにするものである。
【０００４】
このような標識杭２０において、杭本体２４を目立ちやすくするための工夫が必要となる。そこで、図４（ｂ）（ｃ）のように、杭本体２４の上部に形成した中心穴２４ａに差し込むキャップ２６を用いて、オレンジ色等に着色したフィラメント束２５を取付けることが考えられる。
【０００５】
すなわち、キャップ２６にフィラメント束２５の下部を保持するために、Ｕ字状金属ピン２７でフィラメント束２５を二つ折りしながら（矢印ｃを参照）、上部凹部２６ａに金属ピン２７を圧入しつつフィラメント束２５の下部を差し込んで仮保持する。この仮保持状態で、上部凹部２６ａ内に接着剤を充填することで本保持する。
【先行技術文献】
【特許文献】
【０００６】
【特許文献１】特開２００１−３３６９３２号公報
【考案の概要】
【考案が解決しようとする課題】
【０００７】
しかしながら、金属ピン２７と接着剤を必要とするから、部品点数と組み付け工数が増加するので、コスト高になるという問題がある。
【０００８】
本考案は、前記問題を解消するためになされたもので、部品点数と組み付け工数の低減を図ることで、コスト安になる標識杭を提供することを目的とするものである。
【課題を解決するための手段】
【０００９】
前記課題を解決するために、本考案は、地面に打ち込まれるホルダー部と、このホルダー部に直立するように連結される杭本体とでなる標識杭において、前記杭本体の少なくとも上部には、上下方向の中心穴が形成され、この中心穴に圧入部が圧入されるキャップと、このキャップで下部が保持されるフィラメント束とが設けられ、前記キャップには、前記フィラメント束の下部を圧入させる中心貫通穴が形成され、前記キャップの圧入部の外周には、外方に突出する突出部と、軸方向に延在するスリット部とが形成されていることを特徴とする標識杭を提供するものである。
【００１０】
前記ホルダー部と前記杭本体とは、可撓性部材で連結されている構成とすることができる。
【００１１】
前記キャップのフィラメント束の入口穴は、前記中心貫通穴よりも大径に形成され、入口穴と中心貫通穴との境部分は、入口穴から中心貫通穴に向かうテーパ部に形成されている構成とすることができる。
【００１２】
前記スリット部は、圧入部の先端側に向かって広がる略Ｖ字状に形成されている構成とすることができる。
【考案の効果】
【００１３】
本考案によれば、キャップの中心貫通穴にフィラメント束の下部を圧入させ、ついで、キャップの圧入部を杭本体の上部開口から中心穴に圧入して行くと、突出部が中心穴の内面に接触して、スリット部が狭まることで、圧入部が軸心方向に縮径するようになる。この圧入部の縮径でフィラメント束の下部が圧縮されるので、フィラメント束に与えられる圧縮力と、フィラメント束がそれに反発する力とで、フィラメント束が圧入部から抜けないように保持される。
【００１４】
このように、中心貫通穴にフィラメント束の下部を圧入させたキャップの圧入部を杭本体の上部開口から中心穴に圧入するだけで、キャップでフィラメント束の下部を保持することができる。したがって、背景技術のような金属ピンと接着剤が不要となるから、部品点数と組み付け工数が低減するので、コスト安になる。
【００１５】
また、ホルダー部と杭本体とは、可撓性部材で連結することができる。
【００１６】
これによれば、地面に打ち込まれたホルダー部に対して、杭本体は可撓性部材を介して地面に沿うよう横向きに倒すことができる。したがって、芝刈り機で芝刈りするに際しては、杭本体が芝刈り機の前端部分に接触しながら横向きに倒されるので、芝刈りの邪魔にならなくなる。また、芝刈り機のカッター部分でフィラメント束が損傷しないようになる。さらに、背景技術のように、ホルダー部から杭本体を抜き取る手間が不要になる。さらにまた、歩行者が杭本体に躓いても、杭本体は横向きに倒れることから、歩行者の安全性も向上するようになる。
【００１７】
さらに、キャップのフィラメント束の入口穴は、中心貫通穴よりも大径に形成し、入口穴と中心貫通穴との境部分は、入口穴から中心貫通穴に向かうテーパ部に形成することができる。
【００１８】
これによれば、キャップの入口穴にフィラメント束の下部をスムーズに入れることができ、ついで、フィラメント束の下部をテーパ部で中心貫通穴にスムーズに挿通させることができるから、フィラメント束の組み付けが容易に行えるようになる。
【００１９】
また、スリット部は、圧入部の先端側に向かって広がる略Ｖ字状に形成することができる。
【００２０】
これによれば、略Ｖ字状のスリット部が狭まりやすくなることで、圧入部が軸心方向により縮径するようになるので、フィラメント束の下部の圧縮が確実となる。
【図面の簡単な説明】
【００２１】
【図１】本考案の実施形態に係る標識杭の側面図である。
【図２】（ａ）はキャップとフィラメント束の分解斜視図、（ｂ）はキャップの側面図である。
【図３】キャップと杭本体であり、（ａ）はキャップの圧入前の側面図、（ｂ）はキャップの圧入後の側面図である。
【図４】従来の標識杭であり、（ａ）は側面図、（ｂ）はキャップとフィラメント束の分解斜視図、（ｃ）はキャップを杭本体に圧入した後の側面断面図である。
【考案を実施するための形態】
【００２２】
以下、本考案を実施するための形態について、図面を参照しながら詳細に説明する。図１は、標識杭１の側面図である。
【００２３】
標識杭１は、地面２に打ち込まれるホルダー部３と、このホルダー部３の上部に連結される可撓性（フレキシブル）部材４と、この可撓性部材４の上部に連結される杭本体５とを備えている。また、この杭本体５の上部開口５ａから中心穴５ｂに圧入部６ａが圧入されるキャップ６と、このキャップ６で下部７ａが保持されるフィラメント束７とを備えている。
【００２４】
ホルダー部３は、下端部が尖らされ、上端部にフランジ部３ａを有して、地面２にフランジ部３ａが接地するまで打ち込むものである。
【００２５】
可撓性部材４は、コイルスプリング状に形成され、下端部がホルダー部３の上端部に連結されることで、側方のあらゆる方向に撓むことができる。つまり、フレキシブルになっている。
【００２６】
パイプ状の杭本体５は、下端部が可撓性部材４の上端部に連結されることで、可撓性部材４と相俟って側方のあらゆる方向に、地面２に沿うよう横向きに倒れることができる。
【００２７】
図２（ａ）に示すように、フィラメント束７は、細くて長い合成樹脂製の繊維を数十本で丸く束ねたものである。
【００２８】
図２（ｂ）に示すように、キャップ６には、杭本体５の上部開口５ａから中心穴５ｂに圧入される圧入部６ａが形成されるとともに、フィラメント束７の下部７ａを圧入させるための中心貫通穴６ｂが形成されている。キャップ６のフィラメント束７の入口穴６ｃは、中心貫通穴６ｂよりも大径に形成され、入口穴６ｃと中心貫通穴６ｂとの境部分は、入口穴６ｃから中心貫通穴６ｂに向かう縮径方向のテーパ部６ｄに形成されている。
【００２９】
キャップ６の圧入部６ａの先端側の外周には、外方に突出する突出部６ｅが形成されるとともに、圧入部６ａの全長に亘って軸方向に延在する二つ割り状のスリット部６ｆが形成されている。このスリット部６ｆは、圧入部６ａの先端側に向かって広がる略Ｖ字状に形成されている。
【００３０】
圧入部６ａの突出部６ｅは、側面視で円弧状に形成され、その外径ａは、杭本体５の上部開口５ａの内径ｂよりもやや大径となる。また、圧入部６ａの突出部６ｅよりも先端側は、先細りのテーパ状に形成することで、圧入部６ａの先端部６ｇを杭本体５の上部開口５ａにスムーズに差し込むことができる。
【００３１】
前記のような標識杭１であれば、キャップ６の中心貫通穴６ｂにフィラメント束７の下部７ａを圧入させ、ついで、キャップ６の圧入部６ａを杭本体５の上部開口５ａから中心穴５ｂに圧入して行くと、突出部６ｅが中心穴５ｂの内面に接触して、スリット部６ｆが狭まることで、圧入部６ａが軸心方向に縮径するようになる。
【００３２】
この圧入部６ａの縮径でフィラメント束７の下部７ａが圧縮されるので、フィラメント束７に与えられる圧縮力と、フィラメント束７がそれに反発する力とで、フィラメント束７が圧入部６ａから抜けないように保持される。
【００３３】
このように、中心貫通穴６ｂにフィラメント束７の下部７ａを圧入させたキャップ６の圧入部６ａを杭本体５の上部開口５ａから中心穴５ｂに圧入するだけで、キャップ６でフィラメント束７の下部７ａを保持することができる。したがって、背景技術のような金属ピンと接着剤が不要となるから、部品点数と組み付け工数が低減するので、コスト安になる。
【００３４】
また、ホルダー部３と杭本体５とは、可撓性部材４で連結されているから、地面２に打ち込まれたホルダー部３に対して、杭本体４は可撓性部材４を介して地面２に沿うよう横向きに倒すことができる。したがって、芝刈り機で芝刈りするに際しては、杭本体５が芝刈り機の前端部分に接触しながら横向きに倒されるので、芝刈りの邪魔にならなくなる。
【００３５】
また、芝刈り機のカッター部分でフィラメント束７が損傷しないようになる。さらに、背景技術のように、ホルダー部３から杭本体５を抜き取る手間が不要になる。さらにまた、歩行者が杭本体５に躓いても、杭本体５は横向きに倒れることから、歩行者の安全性も向上するようになる。
【００３６】
さらに、キャップ６のフィラメント束７の入口穴６ｃは、中心貫通穴６ｂよりも大径に形成され、入口穴６ｃと中心貫通穴６ｂとの境部分は、入口穴６ｃから中心貫通穴６ｂに向かうテーパ部６ｄに形成されている。したがって、キャップ６の入口穴６ｃにフィラメント束７の下部７ａをスムーズに入れることができ、ついで、フィラメント束７の下部７ａをテーパ部６ｄで中心貫通穴６ｂにスムーズに圧入させることができるから、フィラメント束７の組み付けが容易に行えるようになる。
【００３７】
また、スリット部６ｆは、圧入部６ａの先端側に向かって広がる略Ｖ字状に形成されているから、略Ｖ字状のスリット部６ｆが狭まりやすくなることで、圧入部６ａが軸心方向により縮径するようになるので、フィラメント束７の下部７ａの圧縮が確実となる。
【００３８】
前記実施形態では、キャップ６の中心貫通穴６ｂに、ストレートのフィラメント束７の下部７ａを圧入させるようにしたものである。これに対して、長さが２倍で、本数が半分のフィラメント束７を二つ折りして、その折り曲げ部分である下部７ａを圧入させるようにしてもよい。この場合には、中心貫通穴６ｂから外部に突出したフィラメント束７の折り曲げ部分が膨れるので、フィラメント束７を引っ張っても抜けにくくなる。
【符号の説明】
【００３９】
１    標識杭
２    地面
３    ホルダー部
４    可撓性部材
５    杭本体
５ａ  上部開口
５ｂ  中心穴
６    キャップ
６ａ  圧入部
６ｂ  中心貫通穴
６ｃ  入口穴
６ｄ  テーパ部
６ｅ  突出部
６ｆ  スリット部
７    フィラメント束
７ａ  下部
【図１】
0003165918.tif 000003
【図２】
0003165918.tif 000004
【図３】
0003165918.tif 000005
【図４】
0003165918.tif 000006